(57)【特許請求の範囲】
【請求項１】
信号の送受信を連続的に行なう連続送受信システムと、信号の送受信を時分割的に行なう時分割送受信システムとの両方で使用可能なダイバーシチ方式の携帯電話機であって、
互いに離間して設けられた第１および第２のアンテナ、
前記連続送受信システムの基地局に信号を送信する第１の送信回路、
前記連続送受信システムの基地局から信号を受信する第１の受信回路、
前記時分割送受信システムの基地局に信号を送信する第２の送信回路、
前記時分割送受信システムの基地局から信号を受信する第２の受信回路、
前記第１および第２の受信回路の受信信号に基づいて前記連続送受信システムおよび前記時分割送受信システムのうちのいずれか一方をメインシステムと判定し他方をモニタシステムと判定する判定回路、
前記第１および第２のアンテナのうちの受信信号の信号レベルの高い方のアンテナを選択する選択回路、および
前記判定回路によって前記連続送受信システムがメインシステムであると判定された場合において、メインシステムの基地局と信号の送受信を行なうメインシステム動作時は、前記第１のアンテナと前記第１の送信回路とを結合させるとともに前記第１および第２のアンテナと前記第１の受信回路とを結合させ、モニタシステムの基地局からの信号も受信するモニタ時は、前記選択回路によって選択された第１または第２のアンテナを前記第２の受信回路に結合させ、前記判定回路によって前記時分割送受信システムがメインシステムであると判定された場合において、前記メインシステム動作時は、前記第１のアンテナと前記第２の送信回路とを送信時に結合させるとともに前記選択回路によって選択された第１または第２のアンテナと前記第２の受信回路とを受信時に結合させ、前記モニタ時は、前記第１および第２のアンテナのうちの少なくとも一方のアンテナを前記第１の受信回路に結合させる結合器を備え、
前記結合器は、
前記第１のアンテナと前記第１の送信回路および前記第１の受信回路との間に設けられ、前記連続送受信システムの信号を通過させ前記時分割送受信システムの信号を遮断する第１のフィルタ、
前記第１のアンテナと前記第２の送信回路および前記第２の受信回路との間に設けられ、前記時分割送受信システムの信号を通過させ前記連続送受信システムの信号を遮断する第２のフィルタ、および
前記連続送受信システムがメインシステムの場合における前記メインシステム動作時および前記時分割送受信システムがメインシステムの場合における前記モニタ時は、前記第２のアンテナと前記第１の受信回路とを結合させ、前記時分割送受信システムがメインシステムの場合における前記メインシステム動作時および前記連続送受信システムがメインシステムの場合における前記モニタ時は、前記第２のフィルタを介して前記第１のアンテナと前記第２の送信回路とを送信時に結合させるとともに、受信時において前記選択回路によって前記第１のアンテナが選択された場合は前記第２のフィルタを介して前記第１のアンテナと前記第２の受信回路とを結合させ、受信時において前記選択回路によって前記第２のアンテナが選択された場合は前記第２のアンテナと前記第２の受信回路とを結合させる切換回路を含む、携帯電話機。
【請求項２】
信号の送受信を連続的に行なう連続送受信システムと、信号の送受信を時分割的に行なう時分割送受信システムとの両方で使用可能なダイバーシチ方式の携帯電話機であって、
互いに離間して設けられた第１および第２のアンテナ、
前記連続送受信システムの基地局に信号を送信する第１の送信回路、
前記連続送受信システムの基地局から信号を受信する第１の受信回路、
前記時分割送受信システムの基地局に信号を送信する第２の送信回路、
前記時分割送受信システムの基地局から信号を受信する第２の受信回路、
前記第１および第２の受信回路の受信信号に基づいて前記連続送受信システムおよび前記時分割送受信システムのうちのいずれか一方をメインシステムと判定し他方をモニタシステムと判定する判定回路、
前記第１および第２のアンテナのうちの受信信号の信号レベルの高い方のアンテナを選択する選択回路、および
前記判定回路によって前記連続送受信システムがメインシステムであると判定された場合において、メインシステムの基地局と信号の送受信を行なうメインシステム動作時は、前記第１のアンテナと前記第１の送信回路とを結合させるとともに前記第１および第２のアンテナと前記第１の受信回路とを結合させ、モニタシステムの基地局からの信号も受信するモニタ時は、前記選択回路によって選択された第１または第２のアンテナを前記第２の受信回路に結合させ、前記判定回路によって前記時分割送受信システムがメインシステムであると判定された場合において、前記メインシステム動作時は、前記第１のアンテナと前記第２の送信回路とを送信時に結合させるとともに前記選択回路によって選択された第１または第２のアンテナと前記第２の受信回路とを受信時に結合させ、前記モニタ時は、前記第１および第２のアンテナのうちの少なくとも一方のアンテナを前記第１の受信回路に結合させる結合器を備え、
前記結合器は、
前記第１のアンテナと前記第１の送信回路および前記第１の受信回路との間に設けられ、前記連続送受信システムの信号を通過させ前記時分割送受信システムの信号を遮断する第１のフィルタ、
前記第１のアンテナと前記第２の送信回路および前記第１の受信回路との間に設けられ、前記時分割送受信システムの信号を通過させ前記連続送受信システムの信号を遮断する第２のフィルタ、
第１〜第３の入出力ポートを有し、前記第１のアンテナおよび前記第２のフィルタを介して前記第１の入出力ポートに与えられた受信信号を前記第２の入出力ポートに与え、前記第２の送信回路から前記第３の入出力ポートに与えられた送信信号を前記第１の入出力ポートおよび前記第２のフィルタを介して前記第１のアンテナに与えるサーキュレータ、および
前記連続送受信システムがメインシステムの場合におけるメインシステム動作時および前記時分割送受信システムがメインシステムの場合におけるモニタ時は、前記第２のアンテナと前記第１の受信回路とを結合させ、前記時分割送受信システムがメインシステムの場合におけるメインシステム動作時および前記連続送受信システムがメインシステムの場合におけるモニタ時は、前記選択回路によって前記第１のアンテナが選択された場合は前記サーキュレータの前記第２の入出力ポートと前記第２の受信回路とを結合し、前記選択回路によって前記第２のアンテナが選択された場合は前記第２のアンテナと前記第２の受信回路とを結合させる切換回路を含む、携帯電話機。
【請求項３】
信号の送受信を連続的に行なう連続送受信システムと、信号の送受信を時分割的に行なう時分割送受信システムとの両方で使用可能なダイバーシチ方式の携帯電話機であって、
互いに離間して設けられた第１および第２のアンテナ、
前記連続送受信システムの基地局に信号を送信する第１の送信回路、
前記連続送受信システムの基地局から信号を受信する第１の受信回路、
前記時分割送受信システムの基地局に信号を送信する第２の送信回路、
前記時分割送受信システムの基地局から信号を受信する第２の受信回路、
前記第１および第２の受信回路の受信信号に基づいて前記連続送受信システムおよび前記時分割送受信システムのうちのいずれか一方をメインシステムと判定し他方をモニタシステムと判定する判定回路、
前記第１および第２のアンテナのうちの受信信号の信号レベルの高い方のアンテナを選択する選択回路、および
前記判定回路によって前記連続送受信システムがメインシステムであると判定された場合において、メインシステムの基地局と信号の送受信を行なうメインシステム動作時は、前記第１のアンテナと前記第１の送信回路とを結合させるとともに前記第１および第２のアンテナと前記第１の受信回路とを結合させ、モニタシステムの基地局からの信号も受信するモニタ時は、前記選択回路によって選択された第１または第２のアンテナを前記第２の受信回路に結合させ、前記判定回路によって前記時分割送受信システムがメインシステムであると判定された場合において、前記メインシステム動作時は、前記第１のアンテナと前記第２の送信回路とを送信時に結合させるとともに前記選択回路によって選択された第１または第２のアンテナと前記第２の受信回路とを受信時に結合させ、前記モニタ時は、前記第１および第２のアンテナのうちの少なくとも一方のアンテナを前記第１の受信回路に結合させる結合器を備え、
前記結合器は、
前記第１のアンテナと前記第１の送信回路および前記第１の受信回路との間に設けられ、前記連続送受信システムの信号を通過させ前記時分割送受信システムの信号を遮断する第１のフィルタ、
前記第２のアンテナと前記第１の受信回路との間に設けられ、前記連続送受信システムの信号を通過させ前記時分割送受信システムの信号を遮断する第２のフィルタ、
前記第１のアンテナと前記第２の送信回路および前記第２の受信回路との間に設けられ、前記時分割送受信システムの信号を通過させ前記連続送受信システムの信号を遮断する第３のフィルタ、
前記第２のアンテナと前記第２の受信回路との間に設けられ、前記時分割送受信システムの信号を通過させ前記連続送受信システムの信号を遮断する第４のフィルタ、
第１〜第３の入出力ポートを有し、前記第１のアンテナおよび前記第３のフィルタを介して前記第１の入出力ポートに与えられた受信信号を前記第２の入出力ポートに与え、前記第２の送信回路から前記第３の入出力ポートに与えられた送信信号を前記第１の入出力ポートおよび前記第３のフィルタを介して前記第１のアンテナに与えるサーキュレータ、および
前記選択回路によって前記第１のアンテナが選択された場合は前記サーキュレータの前記第２の入出力ポートと前記第２の受信回路とを結合し、前記選択回路によって前記第２のアンテナが選択された場合は前記第２のアンテナを前記第４のフィルタを介して前記第２の受信回路に結合させる切換回路を含む、携帯電話機。
【請求項４】
信号の送受信を連続的に行なう連続送受信システムと、信号の送受信を時分割的に行なう時分割送受信システムとの両方で使用可能なダイバーシチ方式の携帯電話機であって、
互いに離間して設けられた第１および第２のアンテナ、
前記連続送受信システムの基地局に信号を送信する第１の送信回路、
前記連続送受信システムの基地局から信号を受信する第１の受信回路、
前記時分割送受信システムの基地局に信号を送信する第２の送信回路、
前記時分割送受信システムの基地局から信号を受信する第２の受信回路、
前記第１および第２の受信回路の受信信号に基づいて前記連続送受信システムおよび前記時分割送受信システムのうちのいずれか一方をメインシステムと判定し他方をモニタシステムと判定する判定回路、
前記第１および第２のアンテナのうちの受信信号の信号レベルの高い方のアンテナを選択する選択回路、および
前記判定回路によって前記連続送受信システムがメインシステムであると判定された場合において、メインシステムの基地局と信号の送受信を行なうメインシステム動作時は、前記第１のアンテナと前記第１の送信回路とを結合させるとともに前記第１および第２のアンテナと前記第１の受信回路とを結合させ、モニタシステムの基地局からの信号も受信するモニタ時は、前記選択回路によって選択された第１または第２のアンテナを前記第２の受信回路に結合させ、前記判定回路によって前記時分割送受信システムがメインシステムであると判定された場合において、前記メインシステム動作時は、前記第１のアンテナと前記第２の送信回路とを送信時に結合させるとともに前記選択回路によって選択された第１または第２のアンテナと前記第２の受信回路とを受信時に結合させ、前記モニタ時は、前記第１および第２のアンテナのうちの少なくとも一方のアンテナを前記第１の受信回路に結合させる結合器を備え、
前記結合器は、
前記第１のアンテナと前記第１の送信回路および前記第１の受信回路との間に設けられ、前記連続送受信システムの信号を通過させ前記時分割送受信システムの信号を遮断する第１のフィルタ、
前記第２のアンテナと前記第１の受信回路との間に設けられ、前記連続送受信システムの信号を通過させ前記時分割送受信システムの信号を遮断する第２のフィルタ、
前記第１のアンテナと前記第２の送信回路および前記第２の受信回路との間に設けられ、前記時分割送受信システムの信号を通過させ前記連続送受信システムの信号を遮断する第３のフィルタ、
前記第２のアンテナと前記第２の受信回路との間に設けられ、前記時分割送受信システムの信号を通過させ前記連続送受信システムの信号を遮断する第４のフィルタ、および
前記第２の送信回路の送信時は、前記第２の送信回路から出力された送信信号を前記第３のフィルタを介して前記第１のアンテナに与え、前記第２の受信回路の受信時は、前記選択回路によって前記第１のアンテナが選択された場合は前記第１のアンテナの受信信号を前記第３のフィルタを介して前記第２の受信回路に与え、前記選択回路によって前記第２のアンテナが選択された場合は前記第２のアンテナの受信信号を前記第４のフィルタを介して前記第２の受信回路に与える切換回路を含む、携帯電話機。
【請求項５】
前記第１の受信回路は、前記第１および第２のアンテナからの受信信号に基づいて受話データを生成し、
前記第２の受信回路は、前記選択回路によって選択された前記第１または第２のアンテナの受信信号に基づいて受話データを生成する、請求項１から請求項４のいずれかに記載の携帯電話機。
【発明の詳細な説明】
【０００１】
【発明の属する技術分野】
本発明は携帯電話機に関し、特に、信号の送受信を連続的に行なう連続送受信システムと、信号の送受信を時分割的に行なう時分割送受信システムとの両方で使用可能なダイバーシチ方式の携帯電話機に関するものである。
【０００２】
【従来の技術】
従来より、携帯電話機では、信号の送受信を時分割的に行なうＴＤＭＡ方式の一種であるＰＤＣ方式が採用されている。また、携帯電話機に２つのアンテナを設け、２つのアンテナで受信した信号のレベルに基づいて受話データを再生するダイバーシチ方式も採用されている。
【０００３】
一方、携帯電話機の方式を上記ＰＤＣ方式から信号の送受信を連続的に行なうＷ−ＣＤＭＡ方式に移行させることが計画されている。この移行期においては、ＰＤＣおよびＷ−ＣＤＭＡの両システムが併存する期間があると予想され、両システムで使用可能なデュアルモード携帯電話機のニーズも存在すると予想される。
【０００４】
【発明が解決しようとする課題】
しかし、単にＰＤＣおよびＷ−ＣＤＭＡの両方式の２台の携帯電話機をまとめて１台のデュアルモード携帯電話機としただけでは、装置寸法が大きくなる。特に、各システムにおいてダイバーシチ方式を実現しようとすると、４つのアンテナが必要となり、装置寸法が大きくなってしまう。
【０００５】
本発明は、連続送受信システムおよび時分割送受信システムの両方で使用することができ、各システムでダイバーシチ方式を実現することができ、かつ装置寸法の小型化を図ることが可能な携帯電話機を提供することを目的とするものである。
【０００６】
【課題を解決するための手段および発明の効果】
この発明に係る携帯電話機は、信号の送受信を連続的に行なう連続送受信システムと、信号の送受信を時分割的に行なう時分割送受信システムとの両方で使用可能なダイバーシチ方式の携帯電話機であって、互いに離間して設けられた第１および第２のアンテナと、連続送受信システムの基地局に信号を送信する第１の送信回路と、連続送受信システムの基地局から信号を受信する第１の受信回路と、時分割送受信システムの基地局に信号を送信する第２の送信回路と、時分割送受信システムの基地局から信号を受信する第２の受信回路と、第１および第２の受信回路の受信信号に基づいて連続送受信システムおよび時分割送受信システムのうちのいずれか一方をメインシステムと判定し他方をモニタシステムと判定する判定回路と、第１および第２のアンテナのうちの受信信号の信号レベルの高い方のアンテナを選択する選択回路と、判定回路によって連続送受信システムがメインシステムであると判定された場合において、メインシステムの基地局と信号の送受信を行なうメインシステム動作時は、第１のアンテナと第１の送信回路とを結合させるとともに第１および第２のアンテナと第１の受信回路とを結合させ、モニタシステムの基地局からの信号も受信するモニタ時は、選択回路によって選択された第１または第２のアンテナを第２の受信回路に結合させ、判定回路によって時分割送受信システムがメインシステムであると判定された場合において、メインシステム動作時は、第１のアンテナと第２の送信回路とを送信時に結合させるとともに選択回路によって選択された第１または第２のアンテナと第２の受信回路とを受信時に結合させ、モニタ時は、第１および第２のアンテナのうちの少なくとも一方のアンテナを第１の受信回路に結合させる結合器とを備えたものである。
【０００８】
ここで、結合器は、第１のアンテナと第１の送信回路および第１の受信回路との間に設けられ、連続送受信システムの信号のみを通過させる第１のフィルタと、第１のアンテナと第２の送信回路および第２の受信回路との間に設けられ、時分割送受信システムの信号のみを通過させる第２のフィルタと、連続送受信システムがメインシステムの場合におけるメインシステム動作時および時分割送受信システムがメインシステムの場合におけるモニタ時は、第２のアンテナと第１の受信回路とを結合させ、時分割送受信システムがメインシステムの場合におけるメインシステム動作時および連続送受信システムがメインシステムの場合におけるモニタ時は、第２のフィルタを介して第１のアンテナと第２の送信回路とを送信時に結合させるとともに、受信時において選択回路によって第１のアンテナが選択された場合は第２のフィルタを介して第１のアンテナと第２の受信回路とを結合させ、受信時において選択回路によって第２のアンテナが選択された場合は第２のアンテナと第２の受信回路とを結合させる切換回路とを含む。したがって、連続送受信システムと時分割送受信システムの両方で使用することができ、各システムでダイバーシチ方式を実現でき、さらに２つのシステムで２つのアンテナを共用するので、装置寸法の小型化を図ることができる。また、信号の送受信に用いる第１のアンテナと第１および第２の送受信回路とをフィルタで結合するので、送信時における信号のパワーロスを小さく抑えることができる。また、切換回路はＩＣ化することができるので、装置の小型化を図ることができる。
【０００９】
また、この発明に係る他の携帯電話機では、結合器は、第１のアンテナと第１の送信回路および第１の受信回路との間に設けられ、連続送受信システムの信号のみを通過させる第１のフィルタと、第１のアンテナと第２の送信回路および第１の受信回路との間に設けられ、時分割送受信システムの信号のみを通過させる第２のフィルタと、第１のアンテナおよび第２のフィルタを介して第１の入出力ポートに与えられた受信信号を第２の入出力ポートに与え、第２の送信回路から第３の入出力ポートに与えられた送信信号を第１の入出力ポートおよび第２のフィルタを介して第１のアンテナに与えるサーキュレータと、連続送受信システムがメインシステムの場合におけるメインシステム動作時および時分割送受信システムがメインシステムの場合におけるモニタ時は、第２のアンテナと第１の受信回路とを結合させ、時分割送受信システムがメインシステムの場合におけるメインシステム動作時および連続送受信システムがメインシステムの場合におけるモニタ時は、選択回路によって第１のアンテナが選択された場合はサーキュレータの第２の入出力ポートと第２の受信回路とを結合し、選択回路によって第２のアンテナが選択された場合は第２のアンテナと第２の受信回路とを結合させる切換回路とを含む。この場合は、サーキュレータを用いるので、切換回路の制御を簡単化することができる。
【００１０】
また、この発明に係るさらに他の携帯電話機では、結合器は、第１のアンテナと第１の送信回路および第１の受信回路との間に設けられ、連続送受信システムの信号のみを通過させる第１のフィルタと、第２のアンテナと第１の受信回路との間に設けられ、連続送受信システムの信号を通過させ時分割送受信システムの信号を遮断する第２のフィルタと、第１のアンテナと第２の送信回路および第２の受信回路との間に設けられ、時分割送受信システムの信号のみを通過させる第３のフィルタと、第２のアンテナと第２の受信回路との間に設けられ、時分割送受信システムの信号のみを通過させる第４のフィルタと、第１のアンテナおよび第３のフィルタを介して第１の入出力ポートに与えられた受信信号を第２の入出力ポートに与え、第２の送信回路から第３の入出力ポートに与えられた送信信号を第１の入出力ポートおよび第３のフィルタを介して第１のアンテナに与えるサーキュレータと、選択回路によって第１のアンテナが選択された場合はサーキュレータの第２の入出力ポートと第２の受信回路とを結合し、選択回路によって第２のアンテナが選択された場合は第２のアンテナを第４のフィルタを介して第２の受信回路に結合させる切換回路とを含む。この場合は、第１〜第４のフィルタおよびサーキュレータを用いるので、パワーロスを小さくすることができ、かつ結合器の制御が不要になる。
【００１１】
また、この発明に係るさらに他の携帯電話機では、結合器は、第１のアンテナと第１の送信回路および第１の受信回路との間に設けられ、連続送受信システムの信号のみを通過させる第１のフィルタと、第２のアンテナと第１の受信回路との間に設けられ、連続送受信システムの信号のみを通過させる第２のフィルタと、第１のアンテナと第２の送信回路および第２の受信回路との間に設けられ、時分割送受信システムの信号を通過させ連続送受信システムの信号を遮断する第３のフィルタと、第２のアンテナと第２の受信回路との間に設けられ、時分割送受信システムの信号のみを通過させる第４のフィルタと、第２の送信回路の送信時は、第２の送信回路から出力された送信信号を第３のフィルタを介して第１のアンテナに与え、第２の受信回路の受信時は、選択回路によって第１のアンテナが選択された場合は第１のアンテナの受信信号を第３のフィルタを介して第２の受信回路に与え、選択回路によって第２のアンテナが選択された場合は第２のアンテナの受信信号を第４のフィルタを介して第２の受信回路に与える切換回路とを含む。この場合は、第１〜第４のフィルタおよび切換回路を用いるので、パワーロスを小さくすることができ、かつ装置の小型化を図ることができる。
【００１２】
また好ましくは、第１の受信回路は第１および第２のアンテナからの受信信号に基づいて受話データを生成し、第２の受信回路は選択回路によって選択された第１または第２のアンテナの受信信号に基づいて受話データを生成する。この場合は、第１および第２のアンテナからの受信信号を合成し、またはそれらのうちの信号レベルの高い方の信号を選択するので、高感度で信号を受信することができる。
【００１３】
【発明の実施の形態】
以下、本発明に係るデュアルモード携帯電話機を、図面を参照して詳述する。
【００１４】
第１図を参照すると、このデュアルモード携帯電話機は、送受信アンテナ１、受信アンテナ２、帯域分波器３，６、スイッチＳＷ１〜ＳＷ３、Ｗ−ＣＤＭＡ送信回路１１、Ｗ−ＣＤＭＡ受信回路１２、ＰＤＣ送信回路１３、ＰＤＣ受信回路１４、および制御回路１５を備える。
【００１５】
送受信アンテナ１は、Ｗ−ＣＤＭＡおよびＰＤＣの両方式の信号の送受信に用いられる。第２図に示すように、Ｗ−ＣＤＭＡ方式の送信信号Ｔｘ１および受信信号Ｒｘ１は２ＧＨｚ程度の周波数を有し、ＰＤＣ方式の送信信号Ｔｘ２および受信信号Ｒｘ２は０．８ＧＨｚ程度の周波数を有する。このような周波数の異なる２方式の信号を送受信するため、送受信アンテナ１は２つの共振点を持つように構成されている。受信アンテナ２も、２つの共振点を持ち、Ｗ−ＣＤＭＡおよびＰＤＣの両方式の信号の受信に用いられる。２つのアンテナ１，２によりスペースダイバーシチ方式が実現される。
【００１６】
帯域分波器３は、ハイパスフィルタ（ＨＰＦ）４、ローパスフィルタ（ＬＰＦ）５および３つの入出力ポート３ａ〜５ａを含む。ポート３ａは、送受信アンテナ１に接続される。Ｗ−ＣＤＭＡ方式の信号Ｔｘ１，Ｒｘ１はポート３ａ、ハイパスフィルタ４およびポート４ａの経路を通過可能となっており、ＰＤＣ方式の信号Ｔｘ２，Ｒｘ２はポート３ａ、ローパスフィルタ５およびポート５ａの経路を通過可能となっている。
【００１７】
帯域分波器６は、２つのバンドパスフィルタ（ＢＰＦ）７，８および３つのポート６ａ〜８ａを含む。ポート６ａ〜８ａは、それぞれ帯域分波器３のポート４ａ、Ｗ−ＤＣＭＡ送信回路１１の出力端子１１ａ、およびＷ−ＣＤＭＡ受信回路１２の第１入力端子１２ａに接続される。Ｗ−ＣＤＭＡ方式の送信信号Ｔｘ１（１９２０〜１９８０ＭＨｚ）はポート７ａ、バンドパスフィルタ７およびポート６ａの経路を通過可能となっており、Ｗ−ＣＤＭＡ方式の受信信号Ｒｘ１（２１１０〜２１７０ＭＨｚ）はポート６ａ、バンドパスフィルタ８およびポート８ａの経路を通過可能となっている。
【００１８】
スイッチＳＷ１の共通端子Ｔ３ａは受信アンテナ２に接続され、その第１切換端子Ｔ１ａはスイッチＳＷ３の第２切換端子Ｔ２ｃに接続され、その第２切換端子Ｔ２ａはＷ−ＣＤＭＡ受信回路１２の第２入力端子１２ｂに接続される。スイッチＳＷ１は、制御回路１５によって切換制御される。端子Ｔ１ａ，Ｔ３ａ間が導通している状態を状態「１」とし、端子Ｔ２ａ，Ｔ３ａ間が導通している状態を状態「２」とする。
【００１９】
スイッチＳＷ２の共通端子Ｔ３ｂは帯域分波器３のポート５ａに接続され、その第１切換端子Ｔ１ｂはＰＤＣ送信回路１３の出力端子１３ａに接続され、その第２切換端子Ｔ２ｂはスイッチＳＷ３の第１切換端子Ｔ１ｃに接続される。スイッチＳＷ２は、制御回路１５によって切換制御される。端子Ｔ１ｂ，Ｔ３ｂ間が導通している状態を状態「１」とし、端子Ｔ２ｃ，Ｔ３ｃ間が導通している状態を状態「２」とする。
【００２０】
Ｗ−ＣＤＭＡ送信回路１１は、Ｗ−ＣＤＭＡシステムがメインシステムの場合に活性化され、この携帯電話機の使用者の音声に基づいて生成された送話データに従って送信信号Ｔｘ１を生成する。送信信号Ｔｘ１は、バンドパスフィルタ７およびハイパスフィルタ４を介して送受信アンテナ１に与えられる。
【００２１】
Ｗ−ＣＤＭＡ受信回路１２は、Ｗ−ＣＤＭＡシステムがメインシステムの場合におけるメインシステム動作時に、送受信アンテナ１で受信されハイパスフィルタ４およびバンドパスフィルタ８を介して与えられる信号Ｒｘ１と、受信アンテナ２で受信されスイッチＳＷ１を介して与えられる信号Ｒｘ１′とを合成して受話データを生成する。受話データは音声に変換されてこの携帯電話機の使用者に伝達される。
【００２２】
また、Ｗ−ＣＤＭＡ受信回路１２は、ＰＤＣシステムがメインシステムの場合におけるモニタ時に、受信信号Ｒｘ１，Ｒｘ１′に基づいてＷ−ＣＤＭＡシステムの基地局からの情報をモニタする。このようにＷ−ＣＤＭＡシステムの基地局の情報をモニタするのは、ＰＤＣシステムの基地局からの信号レベルが低くなったときにＷ−ＣＤＭＡシステムに迅速に移行するためである。
【００２３】
ＰＤＣ送信回路１３は、ＰＤＣシステムがメインシステムの場合に活性化され、送話データに従って送信信号Ｔｘ２を生成する。送信信号Ｔｘ２は、スイッチＳＷ２およびローパスフィルタ５を介して送受信アンテナ１に与えられる。
【００２４】
ＰＤＣ受信回路１４は、ＰＤＣシステムがメインシステムの場合におけるメインシステム動作時に、送受信アンテナ１によって受信されローパスフィルタ５およびスイッチＳＷ２，ＳＷ３を介して与えられる信号Ｒｘ２、または受信アンテナ２によって受信されスイッチＳＷ１，ＳＷ３を介して与えられる信号Ｒｘ２に基づいて受話データを生成する。
【００２５】
また、ＰＤＣ受信回路１４は、Ｗ−ＣＤＭＡシステムがメインシステムの場合におけるモニタ時に、信号Ｒｘ２に基づいてＰＤＣシステムの基地局からの情報をモニタする。このようにＰＤＣシステムの基地局からの情報をモニタするのは、Ｗ−ＣＤＭＡシステムの基地局からの信号が弱くなったときにＰＤＣシステムに迅速に移行するためである。
【００２６】
制御回路１５は、受信回路１２，１４からの信号に基づいてＷ−ＣＤＭＡとＰＤＣのいずれのシステムの信号レベルが高いかを判定し、信号レベルの高い方のシステムをメインシステムとし、信号レベルの低い方のシステムをモニタシステムとする。制御回路１５は、その判定結果に基づいて、スイッチＳＷ１〜ＳＷ３、送信回路１１，１３および受信回路１２，１４を制御する。
【００２７】
第３図は、第１図で示したスイッチＳＷ１〜ＳＷ３の状態を示す図である。以下、第３図に従って、この携帯電話機の動作について説明する。
【００２８】
まず制御回路１５によってＷ−ＣＤＭＡシステムの受信信号Ｒｘ１とＰＤＣシステムの受信信号Ｒｘ２との信号レベルが比較され、信号レベルの高い方のシステムがメインシステムとされ、信号レベルの低い方のシステムがモニタシステムとされる。
【００２９】
Ｗ−ＣＤＭＡシステムがメインシステムであり、電話機が通話状態の場合において、メインシステム動作時はスイッチＳＷ１が状態「２」になって端子Ｔ２ａ，Ｔ３ａ間が導通し、ＳＷ２，ＳＷ３の各々はＤ／Ｃ（Don't Care）状態となる。アンテナ１で受信された信号Ｒｘ１はハイパスフィルタ４およびバンドパスフィルタ８を介してＷ−ＣＤＭＡ受信回路１２の第１入力端子１２ａに入力されるとともに、アンテナ２で受信された信号Ｒｘ１′はスイッチＳＷ１を介してＷ−ＣＤＭＡ受信回路１２の第２入力端子１２ｂに入力される。Ｗ−ＣＤＭＡ受信回路１２は、２つのアンテナ１，２からの信号Ｒｘ１，Ｒｘ１′に基づいて受話データを生成する。すなわち、スペースダイバーシチ方式が実現される。
【００３０】
また、Ｗ−ＣＤＭＡ送信回路１１で生成された信号Ｔｘ１は、バンドパスフィルタ７およびハイパスフィルタ４を介してアンテナ１に与えられ、さらにアンテナ１からＷ−ＣＤＭＡシステムの基地局に送信される。この場合は、第４図（ａ），（ｂ）に示すように、送信信号Ｔｘ１は連続的に送信され、受信信号Ｒｘ１，Ｒｘ１′も連続的に受信される。このため、Ｗ−ＣＤＭＡシステムは、連続送受信システムといわれる。
【００３１】
Ｗ−ＣＤＭＡシステムがメインシステムであり、電話機が通話状態の場合において、モニタ時はスイッチＳＷ１は状態「１」になって端子Ｔ１ａ，Ｔ３ａ間が導通し、スイッチＳＷ２が状態「２」になって端子Ｔ２ｂ，Ｔ３ｂ間が導通し、スイッチＳＷ３がアンテナ１で受信した信号Ｒｘ２とアンテナ２で受信した信号Ｒｘ２とのうちの信号レベルの高い方の信号Ｒｘ２がＰＤＣ受信回路１４に入力されるように状態「１」または「２」になる。この場合は、第４図（ｃ），（ｄ）に示すように、送信信号Ｔｘ２の出力は停止され、受信信号Ｒｘ２は連続的に受信される。ＰＤＣ受信回路１４は、受信信号Ｒｘ２に基づいてＰＤＣシステムの基地局からの情報をモニタする。
【００３２】
Ｗ−ＣＤＭＡシステムがメインシステムであり、電話機が待ち受け受信状態の場合は、電話機は通話状態の場合と同じである。
【００３３】
ＰＤＣシステムがメインシステムであり、電話機が通話状態の場合において、メインシステム動作時はスイッチＳＷ１が状態「１」になって端子Ｔ１ａ，Ｔ３ａ間が導通し、スイッチＳＷ２は送信時および受信時にそれぞれ状態「１」および「２」になり、スイッチＳＷ３はアンテナ１で受信した信号Ｒｘ２とアンテナ２で受信した信号Ｒｘ２とのうちの信号レベルの高い方の信号Ｒｘ２がＰＤＣ受信回路１４に入力されるように状態「１」または「２」となる。アンテナ１で受信した信号Ｒｘ２とアンテナ２で受信した信号Ｒｘ２とのうちの信号レベルの高い方の信号Ｒｘ２がＰＤＣ受信回路１４に入力され、ＰＤＣ受信回路１４は入力された信号Ｒｘ２に基づいて受話データを生成する。すなわち、スペースダイバーシチ方式が実現される。
【００３４】
また、ＰＤＣ送信回路１３で生成された信号Ｔｘ２は、スイッチＳＷ２およびローパスフィルタ５を介してアンテナ１に与えられ、さらにアンテナ１からＰＤＣシステムの基地局に送信される。この場合は、信号Ｒｘ２の受信と信号Ｔｘ２の送信とは時分割で交互に行なわれる。すなわち第５図（ｃ），（ｄ）に示すように、Ｒ（受信）スロットで信号Ｒｘ２が受信され、Ｉ（アイドル）スロットで何もせず、Ｔ（送信）スロットで信号Ｔｘ２が送信され、ＬＭ（レベルメジャリング）スロットでアンテナ１からの信号Ｒｘ１とアンテナ２からの信号との強度が比較されてスイッチＳＷ３の状態が設定され、Ｒスロットで信号Ｒｘ２が受信される。このため、ＰＤＣシステムは、時分割送受信システムとよばれる。
【００３５】
ＰＤＣシステムがメインシステムであり、電話機が通話状態の場合において、モニタ時はスイッチＳＷ１が状態「２」になって端子Ｔ２ａ，Ｔ３ａ間が導通し、スイッチＳＷ２，ＳＷ３はＤ／Ｃ状態となる。Ｗ−ＣＤＭＡ受信回路１２は、アンテナ１，２からの信号Ｒｘ１，Ｒｘ１′に基づいてＷ−ＣＤＭＡシステムの基地局からの情報をモニタする。
【００３６】
ＰＤＣシステムがメインシステムであり、電話機が待受け受信状態の場合は、基本的には電話機が通話状態の場合と同じである。ただし、待受け受信状態では送信は行なわないので、スイッチＳＷ２が状態「１」となることはない。
【００３７】
この実施の形態では、帯域分波器３およびスイッチＳＷ１〜ＳＷ３により、２つのアンテナ１，２とＷ−ＣＤＭＡ方式の送信回路１１および受信回路１２、または２つのアンテナ１，２とＰＤＣ方式の送信回路１３および受信回路１４を選択的に結合させる。したがって，Ｗ−ＣＤＭＡおよびＰＤＣの両システムで使用することができ、各システムにおいてダイバーシチ方式を実現でき、かつ装置寸法の小型化を図ることができる。
【００３８】
なお、送受信アンテナ１とＷ−ＣＤＭＡ送信回路１１とをフィルタ４，７で結合しているのは、送信時における信号のパワーロスを小さく抑えるためである。また、スイッチＳＷ１〜ＳＷ３は容易にＩＣ化できるので、装置寸法の小型化を図ることができる。
【００３９】
以下、この実施の形態の変更例について説明する。第６図の変更例では、第１図のスイッチＳＷ２がサーキュレータ２１で置換される。サーキュレータ２１は、３つの入出力ポート２１ａ〜２１ｃを含む。入出力ポート２１ａ〜２１ｃは、それぞれ帯域分波器３のポート５ａ、スイッチＳＷ３の第１切換端子Ｔ１ｃおよびＰＤＣ送信回路１３の出力ノード１３ａに接続される。アンテナ１で受信されローパスフィルタ５を通過してポート２１ａに入力された信号Ｒｘ２は、ポート２１ｂを介してスイッチＳＷ３の第１切換端子Ｔ１ｃに与えられる。ＰＤＣ送信回路１３で生成されポート２１ｃに入力された信号Ｔｘ２は、ポート２１ａを介して帯域分波器３の入出力ポート５ａに与えられる。したがって、サーキュレータ２１は、スイッチＳＷ２と同じ役割を果たす。スイッチＳＷ１，ＳＷ３は、第７図に示すように、第１図および第３図で説明したのと同様に切換制御される。この変更例では、スイッチＳＷ２の制御が不要になるので、制御の簡単化が図られる。
【００４０】
第８図の変更例では、第６図のスイッチＳＷ１が帯域分波器２２で置換される。帯域分波器２２は、ローパスフィルタ２３、ハイパスフィルタ２４および３つの入出力ポート２２ａ〜２４ａを含む。Ｗ−ＣＤＭＡ方式の受信信号Ｒｘ１′はポート２２ａ、ハイパスフィルタ２４およびポート２４ａの経路を通過可能となっており、ＰＤＣ方式の受信信号Ｒｘ２はポート２２ａ、ローパスフィルタ２３およびポート２３ａの経路を通過可能となっている。したがって、帯域分波器２２は、スイッチＳＷ１と同じ役割を果たす。スイッチＳＷ３は、第９図に示すように、第１図および第３図で説明したのと同様に切換制御される。この変更例では、スイッチＳＷ１，ＳＷ２の制御が不要になるので、制御の簡単化が図られる。
【００４１】
第１０図の変更例では、第８図のサーキュレータ２１がスイッチＳＷ２で置換される。スイッチＳＷ２，ＳＷ３は、第１１図に示すように、第１図および第３図で説明したのと同様に切換制御される。この変更例では、スイッチＳＷ２の制御が不要になるので、制御の簡単化が図れる。
【図面の簡単な説明】
【図１】  本発明の一実施の形態によるデュアルモード携帯電話機の要部を示す回路ブロック図である。
【図２】  図１に示されるデュアルモード携帯電話機で用いられるＷ−ＣＤＭＡ方式およびＰＣＤ方式の信号の周波数スペクトル図である。
【図３】  図１に示されるデュアルモード携帯電話機の動作を説明するための図である。
【図４】  図１に示されるデュアルモード携帯電話機の動作を説明するためのタイムチャートである。
【図５】  図１に示されるデュアルモード携帯電話機の動作を説明するための他のタイムチャートである。
【図６】  この実施の形態の変更例を示す回路ブロック図である。
【図７】  図６に示されるデュアルモード携帯電話機の動作を説明するための図である。
【図８】  この実施の形態の他の変更例を示す回路ブロック図である。
【図９】  図８に示されるデュアルモード携帯電話機の動作を説明するための図である。
【図１０】  この実施の形態のさらに他の変更例を示す回路ブロック図である。
【図１１】  図１０に示されるデュアルモード携帯電話機の動作を説明するための図である。
【図１】
0004017347.tif 000002
【図２】
0004017347.tif 000003
【図３】
0004017347.tif 000004
【図４】
0004017347.tif 000005
【図５】
0004017347.tif 000006
【図６】
0004017347.tif 000007
【図７】
0004017347.tif 000008
【図８】
0004017347.tif 000009
【図９】
0004017347.tif 000010
【図１０】
0004017347.tif 000011
【図１１】
0004017347.tif 000012